【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
埋設されたインフラストラクチャに損傷が加えられることを防止するための、視認できる、局所的な警告を提供するための長尺信号テープ（１０）であって、
コア物質（２２）、および、前記コア物質を密閉する保護物質（３０、３２）を備え、
前記保護物質は、第１事前決定された長さならびに第２事前決定された幅を有する熱可塑性物質の上部熱可塑性シート（３０）、および、第２事前決定された長さならびに第２事前決定された幅を有する熱可塑性物質の底部熱可塑性シート（３２）を含み、前記第１事前決定された長さおよび前記第２事前決定された長さは略等しく、かつ、前記第１事前決定された幅および前記第２事前決定された幅は略等しく、
前記コア物質（２２）は、前記上部熱可塑性シート（３０）と前記底部熱可塑性シート（３２）との間に配置された略引伸不可能な物質をさらに含み、前記コア物質（２２）は、
事前決定された第３長さ、
外側表面、
およそ１インチ（または、およそ２．５４ｃｍ）の最大横方向寸法、
最小事前決定された引っ張り強度
を有し、
前記コア物質（２２）は、前記事前決定された第３長さに沿って前記コア物質に締結された少なくとも１つの煙発生器（１２）を有し、
前記少なくとも１つの煙発生器（１２）は、煙発生組成物（１４）を、および、前記煙発生組成物（１４）に埋め込まれた点火器部分（１６）を、含み、点火ワイヤ（１８）は第１端部および第２端部を有し、前記第１端部は前記点火器部分（１６）内に埋め込まれ、
前記第２端部は、前記コア物質（２２）と前記煙発生器（１２）との間の相対運動により前記点火ワイヤの前記第１端部が前記点火器部分（１６）から引き出され、それにより前記少なくとも１つの煙発生器（１２）が点火されるよう、前記コア物質（２２）に対して取り付けられ、
熱可塑性物質の前記上部熱可塑性シート（３０）と熱可塑性物質の前記底部熱可塑性シート（３２）とが、前記上部熱可塑性シートおよび前記底部熱可塑性シートとの少なくとも外縁部においてともに貼り合わせられ、熱可塑性物質の前記上部熱可塑性シート（３０）または前記底部熱可塑性シート（３２）のうちの少なくとも１つが前記コア物質（２２）の前記外側表面のかなりの部分に対して貼り合わせられる、
長尺信号テープ。
【請求項２】
前記コア物質（７４２）は、およそ１インチ（または、およそ２．５４ｃｍ）の最大幅を、および、およそ１／４インチ（または、およそ０．６３５ｃｍ）の最大厚さを、有する上方表面および下方表面をさらに含む帯状物をさらに含む、請求項１に記載の長尺信号テープ（１０）。
【請求項３】
前記コア物質（７８２）はロープ状物質を含み、前記ロープ状物質の最大直径はおよそ１インチ（または、およそ２．５４ｃｍ）である、請求項１に記載の長尺信号テープ。
【請求項４】
前記コア物質（７９４）の前記最小引っ張り強度はおよそ４００ｌｂｆ（または、およそ１，７８０Ｎ）であり、前記コア物質の前記事前決定された第３長さは前記上部熱可塑性シートの前記事前決定された第１長さのおよそ２倍である、請求項１に記載の長尺信号テープ（７９０）。
【請求項５】
前記コア物質（５２２）の前記事前決定された第３長さは前記上部熱可塑性シートの前記事前決定された第１長さにおよそ等しく、前記最小事前決定された引っ張り強度はおよそ６，０００ｌｂｆ（または、およそ２６，７００Ｎ）である、請求項２に記載の長尺信号テープ（５１０）。
【請求項６】
前記コア物質（５２２）の前記事前決定された第３長さは前記上部熱可塑性シートの前記事前決定された第１長さにおよそ等しく、前記最小事前決定された引っ張り強度はおよそ６，０００ｌｂｆ（または、およそ２６，７００Ｎ）である、請求項３に記載の長尺信号テープ（５１０）。
【請求項７】
前記コア物質（３２２）は前記上部熱可塑性シート（３３０）と前記底部熱可塑性シート（３３２）との間で、事前決定された波形パターン状に配置される、請求項４に記載の長尺信号テープ（３１０）。
【請求項８】
前記事前決定された波形パターンは、正弦波、三角波、方形波、または矩形波である、請求項７に記載の長尺信号テープ（３１０）。
【請求項９】
前記上部熱可塑性シート（８５６）の前記事前決定された第１長さにおよそ等しい事前決定された長さを有する略直線状のトレーサワイヤ（８５８）が前記上部熱可塑性シート（８５６）と前記底部熱可塑性シート（８５６’）との間に配置される、請求項１に記載の長尺信号テープ（８５０）。
【請求項１０】
前記コア物質（８０４）の前記最小引っ張り強度はおよそ３，０００ｌｂｆ（または、およそ１３，３５０Ｎ）であり、前記コア物質（８０４）はおよそ１インチ（または、およそ２．５４ｃｍ）の最大幅を有する帯状物であり、前記コア物質はおよそ１／１６インチ（または、およそ０．１６ｃｍ）の事前決定された厚さを有し、前記コア物質（８０４）の前記事前決定された長さは前記上部熱可塑性シート（８０６）の前記事前決定された長さのおよそ１．５倍である、請求項１に記載の長尺信号テープ（８００）。
【請求項１１】
前記コア物質（８０４）は、前記上部熱可塑性シート（８０６）と前記底部熱可塑性シート（８０６’）との間で、事前決定された波形パターン状に配置される、請求項１０に記載の長尺信号テープ（８００）。
【請求項１２】
前記事前決定された波形パターンは、正弦波、三角波、方形波、または矩形波である、請求項１１に記載の長尺信号テープ（８００）。
【請求項１３】
コア物質、および、前記コア物質を密閉する保護物質を備え、
前記保護物質は、第１事前決定された長さならびに第１事前決定された幅を有する熱可塑性物質の上部熱可塑性シート（８５６）を、および、第２事前決定された長さならびに第２事前決定された幅を有する熱可塑性物質の底部熱可塑性シート（８５６’）を、含み、前記第１事前決定された長さおよび前記第２事前決定された長さはおよそ等しく、前記第１事前決定された幅および前記第２事前決定された幅はおよそ等しく、
前記コア物質（８５３）は、伸縮しない事前決定された長さを有し、かつ、前記上部熱可塑性シート（８５６）と前記底部熱可塑性シート（８５６’）との間に配置される、伸縮可能な物質をさらに備え、前記コア物質（８５３）は、その伸縮しない事前決定された長さのおよそ１．５倍まで、破断することなく伸縮することが可能であり、前記コア物質（８５３）は、
外側表面、
およそ１インチ（または、およそ２．５４ｃｍ）の最大横方向寸法、
最小事前決定された引っ張り強度、
事前決定された第３長さ、
を有し、
前記コア物質（８５３）は、前記事前決定された第３長さに沿って前記コア物質に締結された少なくとも１つの煙発生器（８５２）を有し、
前記少なくとも１つの煙発生器（８５２）は、煙発生組成物を、および、前記煙発生組成物に埋め込まれた点火器部分を、含み、点火ワイヤは第１端部および第２端部を有し、前記点火ワイヤの前記第１端部は前記点火器部分内に埋め込まれ、前記点火ワイヤの前記第２端部は、前記コア物質（８５３）と前記煙発生器（８５２）との間の相対運動により、前記点火ワイヤの前記第１の端部が前記点火器部分から引き出され、それにより前記少なくとも１つの煙発生器（８５２）が点火されるよう、前記コア物質（８５３）に対して取り付けられ、
熱可塑性物質の前記上部熱可塑性シート（８５６）と熱可塑性物質の前記底部熱可塑性シート（８５６’）とが、前記上部熱可塑性シートおよび前記底部熱可塑性シートとの少なくとも外縁部においてともに貼り合わせられ、熱可塑性物質の前記上部熱可塑性シート（８５６）または前記底部熱可塑性シート（８５６’）のうちの少なくとも１つが前記コア物質（８５３）の前記外側表面のかなりの部分に対して貼り合わせられる、
長尺信号テープ（８５０）。
【請求項１４】
前記最小事前決定された引っ張り強度は少なくとも４００ｌｂｆ（または、およそ１，７８０Ｎ）である、請求項１３に記載の長尺信号テープ（８５０）。
【請求項１５】
前記上部熱可塑性シート（８５６）の前記第１事前決定された前記事前決定された長さにおよそ等しい事前決定された長さを有する略直線状のトレーサワイヤ（８５８）が前記上部熱可塑性シート（８５６）と前記底部熱可塑性シート（８５６’）との間に配置される、請求項１３に記載の長尺信号テープ（８５０）。
【請求項１６】
前記伸縮可能なコア物質（８５３）の伸縮しない事前決定された長さは前記上部熱可塑性シート（８５６）の前記事前決定された長さのおよそ２倍であり、前記伸縮可能なコア物質（８５３）の最小引っ張り強度はおよそ１００ｌｂｆ（または、およそ４４５Ｎ）である、請求項１３に記載の長尺信号テープ（８５０）。
【請求項１７】
前記コア物質は前記上部熱可塑性シートと前記底部熱可塑性シートとの間で事前決定された波形パターン状に配置される、請求項１６に記載の長尺信号テープ（８５０）。
【請求項１８】
前記事前決定された波形パターンは、正弦波、三角波、方形波、または矩形波である、請求項１７に記載の長尺信号テープ（８５０）。
【請求項１９】
コア物質（６６’’）、および、前記コア物質（６６’’）を密閉する保護物質を備え、
前記保護物質は、第１事前決定された長さならびに第２事前決定された幅を有する熱可塑性物質の上部熱可塑性シート（８２）、および、第２事前決定された長さならびに第２事前決定された幅を有する熱可塑性物質の底部熱可塑性シート（８３）を含み、前記第１事前決定された長さおよび前記第２事前決定された長さは略等しく、かつ、前記第１事前決定された幅および前記第２事前決定された幅は略等しく、
前記コア物質（６６’’）は、前記上部熱可塑性シート（８２）と前記底部熱可塑性シート（８３）との間に配置された略引伸不可能な物質をさらに含み、前記コア物質（６６’’）は、
事前決定された第３長さ、
外側表面、
およそ１インチ（または、およそ２．５４ｃｍ）の最大横方向寸法、
最小事前決定された引っ張り強度
を有し、
前記コア物質（６６’’）は、前記事前決定された第３長さに沿って前記コア物質に締結された少なくとも１つの煙発生器（４６’’）を有し、
前記少なくとも１つの煙発生器（４６’’）は、煙生成化合物（７４’）、第１の端部および第２の端部を有する長尺導火線（５８’）、および摩擦点火器（５６’）を備え、
前記長尺導火線（５８’）の一方端は前記煙生成化合物（７４’）に埋め込まれ、前記長尺導火線（５８’）の他方端は前記摩擦点火器（５６’）に埋め込まれ、前記摩擦点火器（５６’）は、前記摩擦点火器（５６’）から引き出されるように適合された長尺点火ワイヤ（６２’）をさらに備え、前記点火ワイヤ（６２’）は第１端部および第２端部を有し、前記点火ワイヤ（６２’）の前記第１端部は前記点火器部分内に埋め込まれ、前記点火ワイヤ（６２’）の前記第２端部は、前記煙発生器（４６’’）と前記コア物質（６６’’）との間の相対運動により、前記点火ワイヤ（６２’）の前記第１の端部が前記摩擦点火器（５６’）から引き出され、それにより前記長尺導火線（５８’）が点火され、前記煙生成化合物（７４’）が点火されるよう、前記コア物質（６６’’）に対して取り付けられる、
長尺信号テープ（８５０）。
【請求項２０】
前記煙発生器（４６’’）と前記コア物質（６６’’）との間の相対運動により、前記点火バネ（６０’）は、最初に、伸張させられてエネルギーを蓄積させられ、次に、前記エネルギーを放出させられ、前記点火ワイヤ（６２’）の前記第１の端部を前記摩擦点火器（５６’）から引き出させ、それにより前記摩擦点火器（５６’）が点火され、その摩擦点火器（５６’）により、次いで、前記導火線（５８’）が点火されて、かくして前記煙生成物質（７４’）が点火されるよう、前記点火ワイヤ（６２’）の前記第２端は、前記点火バネ（６０’）により、前記コア物質（６６’）に取り付けられており、前記点火ワイヤ（６２’）の前記第２の端部が前記点火バネ（６０’）の一方端に取り付けられており、前記点火バネ（６０’）が事前決定されたバネ定数を有し、かつ、前記点火バネ（６０’）の他方端が前記コア物質（６６’’）に取り付けられている、請求項１９に記載の長尺信号テープ。